(57)【要約】【課題】  新しいエネルギー源となる量子反応方法および量子反応装置を提供する。【解決手段】  第一反応空間３３と第二反応空間３４を提供し、第一反応空間３３と第二反応空間３４の間には少なくとも一セットの磁力トンネルセット４０が形成され、第一反応空間３３および第二反応空間３４の少なくとも一方に振動磁場セット５６が形成され、第一反応空間３３と第二反応空間３４には気液平衡の圧力と温度での反応液体８０が充填され、振動磁場セット５６の反応流体８０に対する擾乱を開始し、反応流体８０が二つの反応空間を往復移動することを磁力トンネルセットが案内することにより、交互に流動し、反応を行うのに用いられる。【選択図】図２
2012067750.tif 000002
【特許請求の範囲】
【請求項１】
量子反応方法であって、
第一反応空間および第二反応空間を提供し、前記第一反応空間と前記第二反応空間との間には第一軌跡を有し、前記第一反応空間および前記第二反応空間のうちの少なくとも一方の内部には前記第一軌跡に対応する第二軌跡を形成する第１ステップと、
前記第一反応空間と前記第二反応空間との間に一セットの磁力トンネルセットを形成し、前記磁力トンネルセットはそれぞれ第一磁力トンネルおよび第二磁力トンネルを有し、前記第一磁力トンネルと前記第二磁力トンネルは前記第一軌跡に沿って、等距離、かつ交互に設けられ、前記第一磁力トンネルおよび前記第二磁力トンネルは、それぞれ案内磁界および逆流防止磁界を有し、前記第一磁力トンネルの案内磁界と前記第二磁力トンネルの逆流防止磁界は前記第一反応空間および前記第二反応空間のうちの一方に接続し、前記第一磁力トンネルの逆流防止磁界と前記第二磁力トンネルの案内磁界は前記第一反応空間および前記第二反応空間のうちの他方に接続する第２ステップと、
前記第一反応空間および前記第二反応空間のうち少なくとも一方の内には振動磁場セットが形成され、前記振動磁場セットは第一振動磁場および第二振動磁場を有し、前記第一振動磁場の磁界方向は前記第二振動磁場の磁界方向と逆であり、前記第一振動磁場および前記第二振動磁場を前記第二軌跡に沿って、等距離、かつ交互に設ける第３ステップと、
前記第一反応空間と前記第二反応空間に、気液平衡の圧力および温度での反応流体（Ｒｅａｃｔｉｏｎ  Ｆｌｕｉｄ）を充填する第４ステップと、
前記振動磁場セットの前記第一振動磁場と前記第二振動磁場を作動させ、前記第二軌跡に沿って前記反応流体に対して擾乱し、前記第一磁力トンネルと前記第二磁力トンネルの前記反応流体に対する案内磁界の案内作用によって、前記反応流体が前記案内磁界を通ることが案内され、前記第一磁力トンネルと前記第二磁力トンネルの前記逆流防止磁界を通り、前記反応流体に対する前記逆流防止磁界の逆作用により、前記反応流体が前記第一反応空間および前記第二反応空間のうちの一方から他方へ入るようにさせ、前記反応流体が前記第一反応空間と前記第二反応空間との間で流動し、反応させる第５ステップと、
を含むことを特徴とする量子反応方法。
【請求項２】
前記反応流体は炭素元素を含むことを特徴とする請求項１に記載の量子反応方法。
【請求項３】
前記案内磁界と前記逆流防止磁界の磁界方向は逆であることを特徴とする請求項１に記載の量子反応方法。
【請求項４】
前記案内磁界は偶数個の極性が逆である磁極を含み、前記第一磁力トンネルおよび前記第二磁力トンネルのうちの一方の端部の周りに取り囲まれ、前記反応流体がその間を通ることを案内するために用いられることを特徴とする請求項１に記載の量子反応方法。
【請求項５】
前記第一反応空間および前記第二反応空間のうちの一方には移動部材がさらに設けられ、前記移動部材は前記第一反応空間および前記第二反応空間のうちの他方に対して前記第二軌跡に沿って移動し、前記振動磁場セットは前記移動部材の上に形成され、前記移動部材の前記振動磁場セットは前記反応流体を擾乱させるために用いられることを特徴とする請求項１に記載の量子反応方法。
【請求項６】
すべての前記第一振動磁場および前記第二振動磁場はそれぞれ相異な第一磁極および第二磁極を有することを特徴とする請求項１に記載の量子反応方法。
【請求項７】
前記第一磁極および前記第二磁極の磁界強度は異なることを特徴とする請求項６に記載の量子反応方法。
【請求項８】
すべての前記第一振動磁場および前記第二振動磁場はそれぞれ相異な第一磁極と第二磁極を有することを特徴とする請求項５に記載の量子反応方法。
【請求項９】
前記第一磁極および前記第二磁極の磁界強度は異なることを特徴とする請求項８に記載の量子反応方法。
【請求項１０】
前記移動部材には移動チャンネルセットをさらに有し、すべての移動チャンネルセットは、
前記第一振動磁場が内縁の周りに設けられている第一移動チャンネルと、
前記第二振動磁場が内縁の周りに設けられている第二移動チャンネルと、を含み、
前記第一移動チャンネルと前記第二移動チャンネルは、前記第二軌跡に沿って設けられていることを特徴とする請求項８または９に記載の量子反応方法。
【請求項１１】
前記反応流体の反応は力学的エネルギー（Ｍｅｃｈａｎｉｃａｌ  Ｅｎｅｒｇｙ）に変換可能であることを特徴とする請求項１に記載の量子反応方法。
【請求項１２】
電磁感応方法が用いられ、力学的エネルギー（Ｍｅｃｈａｎｉｃａｌ  Ｅｎｅｒｇｙ）は電気エネルギー（Ｅｌｅｃｔｒｉｃ  Ｅｎｅｒｇｙ）に変換可能であることを特徴とする請求項１１に記載の量子反応方法。
【請求項１３】
前記反応流体の反応が前記移動部材に作用する（Ｗｏｒｋ）ことにより、前記反応流体の反応は力学的エネルギー（Ｍｅｃｈａｎｉｃａｌ  Ｅｎｅｒｇｙ）を生じることを特徴とする請求項５に記載の量子反応方法。
【請求項１４】
反応が始まると、前記移動部材に電磁エネルギー（Ｅｌｅｃｔｒｏｍａｇｎｅｔｉｃ  Ｅｎｅｒｇｙ）を加えることにより、前記移動部材は静止状態から移動を開始するようになることを特徴とする請求項５に記載の量子反応方法。
【請求項１５】
前記第一反応空間および前記第二反応空間は、一本の中心線をさらに有し、静止チャンネルセットの第一静止チャンネルおよび第二静止チャンネルは第一円形軌跡に基づき、交互、等角度で分布されることを特徴とする請求項５に記載の量子反応方法。
【請求項１６】
前記移動部材は前記中心線を軸心として回転することを特徴とする請求項１５に記載の量子反応方法。
【請求項１７】
前記振動磁場セットの前記第一振動磁場および前記第二振動磁場は前記中心線を軸心とし、第二円形軌跡に基づき、交互、かつ等角度で分布され、前記第二円形軌跡に基づき回転し、前記振動磁場セットの前記第二円形軌跡は前記静止チャンネルセットの前記第一円形軌跡に対応し、前記振動磁場セットは回転過程中に、どれでも順序に従って前記静止チャンネルセットを通過することを特徴とする請求項１６に記載の量子反応方法。
【請求項１８】
前記第一磁力トンネルおよび前記第二磁力トンネルは合計１０個であることを特徴とする、請求項１７に記載の量子反応方法。
【請求項１９】
前記第一振動磁場および前記第二振動磁場は合計１２個であることを特徴とする請求項１８に記載の量子反応方法。
【請求項２０】
量子反応装置であって、
第一反応空間および第二反応空間を有し、前記第二反応空間は前記第一反応空間と接続しており、前記第一反応空間および前記第二反応空間の間には第一軌跡を有し、前記第一反応空間および前記第二反応空間のうちの一方の内部には、第二軌跡を有し、前記第二軌跡は前記第一軌跡に対応しており、前記第一反応空間および前記第二反応空間には気液平衡の圧力および温度での反応流体が充填されている反応容器と、
前記第一反応空間と前記第二反応空間との間に設けられ、第一静止チャンネルおよび第二静止チャンネルを含み、前記第一静止チャンネルおよび前記第二静止チャンネルは前記第一軌跡に沿って等距離かつ交互に設けられている静止チャンネルセットと、
それぞれ前記静止チャンネルセットに設けられ、それぞれ第一磁力トンネルおよび第二磁力トンネルを有し、前記第一磁力トンネルは前記第一静止チャンネルに設けられ、前記第二磁力トンネルは前記第二静止チャンネルに設けられ、前記第一磁力トンネルおよび前記第二磁力トンネルはそれぞれ案内磁界および逆流防止磁界を有し、前記第一磁力トンネルの案内磁界および前記第二磁力トンネルの逆流防止磁界は、前記第一反応空間および前記第二反応空間のうち一方に接続し、前記第一磁力トンネルの逆流防止磁界および前記第二磁力トンネルの案内磁界は、前記第一反応空間および前記第二反応空間のうちの他方に接続する磁力トンネルセットと、
第一振動磁場および第二振動磁場を有し、前記第一振動磁場の磁界方向は前記第二振動磁場の磁界方向と逆であり、前記第一振動磁場および前記第二振動磁場は前記第二軌跡に沿って、等距離かつ交互に設けられ、前記反応流体に対して擾乱させるために用いられ、前記反応流体が順序に従って、前記第一静止チャンネルおよび前記第二静止チャンネルを通る時、すべてのチャンネルの前記案内磁界の前記反応流体に対する案内作用および前記逆流防止磁界の前記反応流体に対する逆流防止作用によって、前記第一反応空間と前記第二反応空間で交互に流動し、反応が行う少なくとも一セットの移動可能な振動磁場セットと、
を備えることを特徴とする量子反応装置。
【請求項２１】
前記反応流体は炭素元素を含むことを特徴とする請求項２０に記載の量子反応装置。
【請求項２２】
前記案内磁界の磁界方向と前記逆流防止磁界の磁界方向とは逆であることを特徴とする請求項２０に記載の量子反応装置。
【請求項２３】
前記静止チャンネルセットの前記第一静止チャンネルは第一吸入端および第一排出端を有し、
前記静止チャンネルセットの前記第二静止チャンネルは前記第二吸入端と前記第二排出端を有し、
前記第一静止チャンネルの前記第一吸入端および前記第二静止チャンネルの前記第二排出端は、前記第一反応空間および前記第二反応空間のうちの一方に接続し、
前記第一静止チャンネルの前記第一排出端および前記第二静止チャンネルの前記第二吸入端は、前記第一反応空間および前記第二反応空間のうちの他方に接続することを特徴とする請求項２０に記載の量子反応装置。
【請求項２４】
前記案内磁界は、前記第一静止チャンネルの前記第一吸入端および前記第二静止チャンネルの前記第二排出端の周りに取り囲まれ、前記第一反応空間および前記第二反応空間のうちの一方に接続し、
前記逆流防止磁界は、前記第一静止チャンネルの前記第一排出端および前記第二静止チャンネルの前記第二吸入端の周りに取り囲まれ、前記第一反応空間および前記第二反応空間のうちの他方に接続することを特徴とする請求項２０に記載の量子反応装置。
【請求項２５】
前記案内磁界は、極性が逆である磁極を偶数個含み、前記第一静止チャンネルの前記第一吸入端および前記第二静止チャンネルの前記第二吸入端の周りに取り囲まれ、前記反応流体を案内することに用いられることを特徴とする請求項２０に記載の量子反応装置。
【請求項２６】
前記第一反応空間または前記第二反応空間のいずれか一方に対し、相対移動する移動部材をさらに備えることを特徴とする請求項２０に記載の量子反応装置。
【請求項２７】
前記振動磁場セットは前記移動部材に形成され、前記移動部材の前記振動磁場セットは前記反応流体を擾乱させることに用いられることを特徴とする請求項２６に記載の量子反応装置。
【請求項２８】
前記第一振動磁場および前記第二振動磁場は、それぞれ異なる第一磁極および第二磁極を有することを特徴とする請求項２０に記載の量子反応装置。
【請求項２９】
前記第一磁極および前記第二磁極の磁界強度は異なることを特徴とする請求項２８に記載の量子反応装置。
【請求項３０】
前記第一振動磁場および前記第二振動磁場は、それぞれ異なる第一磁極および第二磁極を有することを特徴とする請求項２６に記載の量子反応装置。
【請求項３１】
前記第一磁極の磁界強度と前記第二磁極の磁界強度とは異なることを特徴とする請求項３０に記載の量子反応装置。
【請求項３２】
前記移動部材には、移動チャンネルセットがさらに設けられ、前記移動チャンネルセットは、
前記第一振動磁場がその内縁の周りに設けられる第一移動チャンネルと、
前記第二振動磁場がその内縁の周りに設けられる第二移動チャンネルと、
を有することを特徴とする請求項３０または３１に記載の量子反応装置。
【請求項３３】
前記移動部材は、中心線を軸心として回転することを特徴とする請求項２６に記載の量子反応装置。
【請求項３４】
前記静止チャンネルセットの前記第一静止チャンネルおよび前記第二静止チャンネルは前記中心線を軸心とする第一円形軌跡に基づき、交互、かつ等角度で分布されていることを特徴とする請求項３３に記載の量子反応装置。
【請求項３５】
前記振動磁場セットは、前記中心線を軸心とする第二円形軌跡に基づき、等角度で分布され、前記第二円形軌跡に基づき回転動作し、
前記振動磁場セットの前記第二円形軌跡は前記第一円形軌跡に対応し、
前記振動磁場セットは、回転中に、いずれも順序に応じて前記静止チャンネルセットに対応することを特徴とする請求項３４に記載の量子反応装置。
【請求項３６】
前記第一磁力トンネルおよび前記第二磁力トンネルは、合計１０個であることを特徴とする請求項３５に記載の量子反応装置。
【請求項３７】
前記第一振動磁場および前記第二振動磁場は、合計１２個であることを特徴とする請求項３６に記載の量子反応装置。
【請求項３８】
等角度で前記移動部材の回転軌跡上に設けられている複数個の第一磁界ユニットを有する第一磁界セットと、
反応容器に設けられ、等角度で前記移動部材の回転軌跡に対応し、前記第一磁界セットを感磁させ、前記中心線を軸心とし、前記移動部材を回転動作させるために用いられる複数個の第二磁界ユニットを有する第二磁界セットと、
前記第二磁界セットに電力を供給し、前記第二磁界セットに磁界を発生させることで、前記第一磁界セットを感磁させ、前記中心線を軸心とし、前記移動部材を回転動作させるために用いられる電気供給回路と、を含む回転制御装置をさらに備えることを特徴とする請求項３３に記載の量子反応装置。
【請求項３９】
前記反応容器に設けられ、等角度で前記移動部材の回転軌跡に対応する複数個の第三磁界ユニットを有する第三磁界セットと、
等角度で前記移動部材上に設けられ、前記移動部材の回転軌跡に対応し、前記第三磁界セットを感磁させ、前記第三磁界セットに誘導電流を発生させるために用いられる第四磁界セットと、
を含むエネルギー変換装置をさらに備えることを特徴とする請求項３３に記載の量子反応装置。
【請求項４０】
前記エネルギー変換装置は、
前記移動部材と同期回転する透磁部材と、
等角度で前記透磁部材の上に設けられ、前記移動部材の回転軌跡に対応し、前記第四磁界セットと同期回転し、前記第三磁界セットを感磁させ、前記第三磁界セットに誘導電流を発生させるために用いられる複数の磁界ユニットを有する第五磁界セットと、をさらに含むことを特徴とする請求項３９に記載の量子反応装置。
【請求項４１】
少なくとも一つの第一反応空間および少なくとも一つの第二反応空間を提供し、
第一反応空間と第二反応空間の間には、第一磁力トンネルと第二磁力トンネルを有する少なくとも一セットの磁力トンネルセットが形成され、少なくとも一つの反応空間内には第一振動磁場および第二振動磁場を有する少なくとも一セットの振動磁場セットを有し、第一反応空間および第二反応空間には気液平衡の圧力および温度での反応液体が充填され、振動磁場セットの反応流体に対する擾乱を開始し、反応流体が二つの反応空間の間を往復移動することを磁力トンネルセットが案内することにより、交互に流動し、反応を行うために用いられることを特徴とする量子反応方法。
【発明の詳細な説明】
【技術分野】
【０００１】
本発明は、量子反応方法、および量子反応装置に関する。
【背景技術】
【０００２】
石油エネルギーは日々枯渇しており、原油価格の高騰を引き起こしている。そのため、新しいエネルギー源を開発することは、手を緩めない切羽詰まった課題である。例えば、太陽エネルギー、核エネルギー、風力エネルギー、潮汐エネルギー、地熱エネルギー、海洋温度差発電、さらに近年徐々に重視されてきているバイオマスエネルギーなどである。
【発明の概要】
【発明が解決しようとする課題】
【０００３】
しかしながら、これらエネルギー源は、エネルギー源変換効率が良くない（例えば太陽エネルギー）、或いは、場所の制限を受ける（例えば、風力エネルギー、潮汐エネルギー、地熱エネルギー、海洋温度差発電）、或いは、安全性に疑問がある（例えば、核エネルギーと核廃棄物の安全性は、常に批判されている）、或いは、供給量の不足（太陽エネルギー、風力エネルギー、潮汐エネルギー、地熱エネルギー、海洋温度差発電、バイオマスエネルギー）である。そのため、新しく開発されたエネルギー源の未来は楽観的なものではない。また、石油エネルギー源と核エネルギーを効果的に代替できない主要な原因となっている。
【０００４】
これ以外に、皆がすでに知っているように、石油エネルギー源は長期にわたり、空気、水源、環境の汚染を引き起こしており、地球の生態環境を深刻に破壊しており、人類と各種生物の生存と安全に深刻な影響を与えている。例えば、多量の二酸化炭素は深刻な温室効果をもたらす。京都議定書とコペンハーゲン協議はさらに各国にエネルギーの節約と炭素排出の削減を意識するよう促している。
【０００５】
本発明は、上述の問題に鑑みてなされたものであり、新しいエネルギー源となる量子反応方法および量子反応装置を提供することを目的とする。
【課題を解決するための手段】
【０００６】
上述の課題を解決するために、本発明の請求項１に係る量子反応方法は、以下のステップ１〜５を含む。第１ステップは、第一反応空間および第二反応空間を提供し、第一反応空間と第二反応空間との間には第一軌跡を有し、第一反応空間および第二反応空間のうちの少なくとも一方の内部には第一軌跡に対応する第二軌跡を形成する。
【０００７】
第２ステップは、第一反応空間と第二反応空間との間に一セットの磁力トンネルセットを形成し、磁力トンネルセットはそれぞれ第一磁力トンネルおよび第二磁力トンネルを有し、第一磁力トンネルと第二磁力トンネルは第一軌跡に沿って、等距離、かつ交互に設けられ、第一磁力トンネルおよび第二磁力トンネルは、それぞれ案内磁界および逆流防止磁界を有し、第一磁力トンネルの案内磁界と第二磁力トンネルの逆流防止磁界は第一反応空間および第二反応空間のうちの一方に接続し、第一磁力トンネルの逆流防止磁界と第二磁力トンネルの案内磁界は第一反応空間および第二反応空間のうちの他方に接続する。
【０００８】
第３ステップは、第一反応空間および第二反応空間のうち少なくとも一方の内には振動磁場セットが形成され、振動磁場セットは第一振動磁場および第二振動磁場を有し、第一振動磁場の磁界方向は第二振動磁場の磁界方向と逆であり、第一振動磁場および第二振動磁場を第二軌跡に沿って、等距離、かつ交互に設ける。
【０００９】
第４ステップは、第３第一反応空間と第二反応空間に、気液平衡の圧力および温度での反応流体（Ｒｅａｃｔｉｏｎ  Ｆｌｕｉｄ）を充填する。本発明では、気液平衡の圧力および温度というのは、反応流体が気液平衡状態を維持するのに必要とする所定圧力および所定温度、ならびに、所定圧力に近似する圧力および所定温度に近似する温度を含む。
【００１０】
第５ステップは、振動磁場セットの第一振動磁場と第二振動磁場を作動させ、第二軌跡に沿って反応流体に対して擾乱し、第一磁力トンネルと第二磁力トンネルの反応流体に対する案内磁界の案内作用によって、反応流体が案内磁界を通ることが案内され、第一磁力トンネルと第二磁力トンネルの逆流防止磁界を通り、反応流体に対する逆流防止磁界の逆作用により、反応流体が第一反応空間および第二反応空間のうちの一方から他方へ入るようにさせ、反応流体が第一反応空間と第二反応空間との間で流動し、反応させる。
【００１１】
請求項２に係る発明によると、反応流体は炭素元素を含み、例えば、二酸化炭素および炭素系同位体を含む。しかし、本発明は炭素元素に限られるわけではない。
【００１２】
請求項３に係る発明によると、案内磁界と逆流防止磁界との磁界方向は逆である。
【００１３】
請求項４に係る発明によると、案内磁界は偶数個の極性が逆である磁極を含み、第一磁力トンネルおよび第二磁力トンネルのうちの一方の端部の周りに取り囲まれ、反応流体がその間を通ることを案内するために用いられる。
【００１４】
請求項５に係る発明によると、第一反応空間および第二反応空間のうちの一方には移動部材がさらに設けられ、移動部材は第一反応空間および第二反応空間のうちの他方に対して第二軌跡に沿って移動し、振動磁場セットは移動部材の上に形成され、移動部材の振動磁場セットは反応流体を擾乱させるために用いられる。
【００１５】
請求項６に係る発明によると、すべての第一振動磁場および第二振動磁場はそれぞれ相異な第一磁極および第二磁極を有する。
請求項７に係る発明によると、第一磁極および第二磁極の磁界強度は異なる。
【００１６】
請求項１０に係る発明によると、移動部材には移動チャンネルセットをさらに有し、すべての移動チャンネルセットは、前記第一振動磁場が内縁の周りに設けられている第一移動チャンネルと、前記第二振動磁場が内縁の周りに設けられている第二移動チャンネルとを含み、第一移動チャンネルと第二移動チャンネルは第二軌跡に沿って設けられている。
【００１７】
請求項１１に係る発明によると、反応流体の反応は力学的エネルギーを生じる。
【００１８】
請求項１２に係る発明によると、電磁感応方法が用いられ、力学的エネルギーは電気エネルギーに変換可能である。
【００１９】
請求項１３に係る発明によると、反応流体の反応が移動部材に作用する（Ｗｏｒｋ）ことにより、反応流体の反応は力学的エネルギーに変換する。
【００２０】
請求項１４に係る発明によると、反応が始まると、移動部材に電磁エネルギーを加えることにより、移動部材は静止状態から移動を開始するようになる。
【００２１】
請求項１５に係る発明によると、第一反応空間および第二反応空間は一本の中心線をさらに有し、静止チャンネルセットの第一静止チャンネルおよび第二静止チャンネルは第一円形軌跡に基づき、交互、かつ等角度で分布されることを特徴とする。
【００２２】
請求項１６に係る発明によると、移動部材は前記中心線を軸心として回転する。
【００２３】
請求項１７に係る発明によると、振動磁場セットの第一振動磁場および第二振動磁場は中心線を軸心とし、第二円形軌跡に基づき、交互、かつ等角度で分布され、第二円形軌跡に基づき回転し、振動磁場セットの第二円形軌跡は静止チャンネルセットの第一円形軌跡に対応し、前記これら振動磁場セットは回転過程中に、どれでも順序に従って静止チャンネルセットを通過する。
【００２４】
請求項１８に係る発明によると、第一磁力トンネルおよび第二磁力トンネルは合計１０個である。
【００２５】
請求項１９に係る発明によると、第一振動磁場と第二振動磁場は合計１２個である。
【００２６】
請求項２０に係る発明によると、量子反応装置（Ｑｕａｎｔｕｍ  Ｒｅａｃｔｉｏｎ  Ａｐｐａｒａｔｕｓ）は、反応容器、静止チャンネルセット、磁力トンネルセット、および振動磁場セットを備える。
【００２７】
反応容器は、第一反応空間および第二反応空間を有し、第二反応空間は第一反応空間と接続しており、第一反応空間および第二反応空間の間には第一軌跡を有し、第一反応空間および第二反応空間のうちの一方の内部には、第二軌跡を有し、第二軌跡は第一軌跡に対応しており、第一反応空間および第二反応空間には気液平衡の圧力および温度での反応流体が充填されている。
【００２８】
静止チャンネルセットは、第一反応空間と第二反応空間との間に設けられ、第一静止チャンネルおよび第二静止チャンネルを含み、第一静止チャンネルおよび第二静止チャンネルは第一軌跡に沿って等距離かつ交互に設けられている。
【００２９】
磁力トンネルセットは、それぞれ静止チャンネルセットに設けられ、それぞれ第一磁力トンネルおよび第二磁力トンネルを有し、第一磁力トンネルは第一静止チャンネルに設けられ、第二磁力トンネルは第二静止チャンネルに設けられ、第一磁力トンネルおよび第二磁力トンネルはそれぞれ案内磁界および逆流防止磁界を有し、第一磁力トンネルの案内磁界および第二磁力トンネルの逆流防止磁界は、第一反応空間および第二反応空間のうち一方に接続し、第一磁力トンネルの逆流防止磁界および第二磁力トンネルの案内磁界は、第一反応空間および第二反応空間のうちの他方に接続する。
【００３０】
振動磁場セットは、第一振動磁場および第二振動磁場を有し、第一振動磁場の磁界方向は第二振動磁場の磁界方向と逆であり、第一振動磁場および第二振動磁場は第二軌跡に沿って、等距離かつ交互に設けられ、反応流体に対して擾乱させるために用いられ、反応流体が順序に従って、第一静止チャンネルおよび第二静止チャンネルを通る時、すべてのチャンネルの案内磁界の反応流体に対する案内作用および逆流防止磁界の反応流体に対する逆流防止作用によって、第一反応空間と第二反応空間で交互に流動し、反応が行う少なくとも一セットの移動可能である。
【００３１】
請求項２１に係る発明によると、反応流体は炭素元素を含む（例えば、二酸化炭素および炭素系同位体を含む）。しかし、本発明は炭素元素に限られるわけではない。
【００３２】
請求項２２に係る発明によると、案内磁界の磁界方向と逆流防止磁界の磁界方向とは逆であることを特徴とする。
【００３３】
請求項２３に係る発明によると、静止チャンネルセットの第一静止チャンネルは第一吸入端および第一排出端を有し、静止チャンネルセットの第二静止チャンネルは第二吸入端と第二排出端を有し、第一静止チャンネルの第一吸入端および第二静止チャンネルの第二排出端は、第一反応空間および第二反応空間のうちの一方接続し、第一静止チャンネルの第一排出端および第二静止チャンネルの第二吸入端は、第一反応空間および第二反応空間のうちの他方に接続する。
【００３４】
請求項２４に係る発明によると、案内磁界は、第一静止チャンネルの第一吸入端および第二静止チャンネルの第二排出端の周りに取り囲まれ、第一反応空間および第二反応空間のうちの一方に接続し、逆流防止磁界は、第一静止チャンネルの第一排出端および第二静止チャンネルの第二吸入端の周りに取り囲まれ、第一反応空間および第二反応空間のうちの他方に接続する。
【００３５】
請求項２５に係る発明によると、案内磁界は、極性が逆である磁極を偶数個含み、第一静止チャンネルの第一吸入端および第二静止チャンネルの第二吸入端の周りに取り囲まれ、反応流体を案内することに用いられる。
【００３６】
請求項２６に係る発明によると、前記第一反応空間または前記第二反応空間のいずれか一方に対し、相対移動する移動部材をさらに含む。
【００３７】
請求項２７に係る発明によると、前記振動磁場セットは移動部材に形成され、移動部材の振動磁場セットは、反応流体を擾乱させることに用いられる。
【００３８】
請求項２８に係る発明によると、第一振動磁場および第二振動磁場は、異なる第一磁極および第二磁極を有する。
【００３９】
請求項２９に係る発明によると、第一磁極および第二磁極の磁界強度は異なることを特徴とする。
【００４０】
請求項３２に係る発明によると、移動部材には移動チャンネルセットがさらに設けられ、移動チャンネルセットは、第一振動磁場がその内縁の周りに設けられる第一移動チャンネルと、第二振動磁場がその内縁の周りに設けられる第二移動チャンネルとを含む。
【００４１】
請求項３３に係る発明によると、移動部材は中心線を軸心として回転する。
【００４２】
請求項３４に係る発明によると、静止チャンネルセットの第一静止チャンネルおよび第二静止チャンネルは、中心線を軸心とする第一円形軌跡に基づき、交互、かつ等角度で分布されている。
【００４３】
請求項３５に係る発明によると、振動磁場セットは、中心線を軸心とする第二円形軌跡に基づき、等角度で分布され、第二円形軌跡に基づき回転動作し、振動磁場セットの第二円形軌跡は第一円形軌跡に対応し、振動磁場セットは、回転中に、いずれも順序に応じて静止チャンネルセットに対応する。
【００４４】
請求項３６に係る発明によると、第一磁力トンネルおよび第二磁力トンネルは合計１０個である。
【００４５】
請求項３７に係る発明によると、第一振動磁場と第二振動磁場は合計１２個であることを特徴とする。
【００４６】
請求項３８に係る発明によると、回転制御装置をさらに含み、前記回転制御装置は、等角度で移動部材の回転軌跡上に設けられている複数個の第一磁界ユニットを有する第一磁界セットと、反応容器に設けられ、等角度で移動部材の回転軌跡に対応し、第一磁界セットを感磁させ、中心線を軸心とし、移動部材を回転動作させるために用いられる複数個の第二磁界ユニットを有する第二磁界セットと、第二磁界セットに電力を供給し、第二磁界セットに磁界を発生させることで、第一磁界セットを感磁させ、中心線を軸心とし、移動部材を回転動作させるために用いられる電気供給回路と、を含む。
【００４７】
請求項３９に係る発明によると、さらにエネルギー変換装置を含み、前記エネルギー変換装置は、反応容器に設けられ、等角度で移動部材の回転軌跡に対応する複数個の第三磁界ユニットを有する第三磁界セットと、
等角度で移動部材上に設けられ、移動部材の回転軌跡に対応し、第三磁界セットを感磁させ、第三磁界セットに誘導電流を発生させるために用いられる第四磁界セットと、を含む。
【００４８】
請求項４０に係る発明によると、エネルギー変換装置は、移動部材と同期回転する透磁部材と、等角度で透磁部材の上に設けられ、移動部材の回転軌跡に対応し、第四磁界セットと同期回転し、第三磁界セットを感磁させ、第三磁界セットに誘導電流を発生させるために用いられる複数の磁界ユニットを有する第五磁界セットとをさらに含む。
【００４９】
請求項４１に係る発明によると、少なくとも一つの第一反応空間および少なくとも一つの第二反応空間を提供し、第一反応空間と第二反応空間の間に、第一磁力トンネルと第二磁力トンネルを有する少なくとも一セットの磁力トンネルセットが形成され、ここでは、少なくとも一つの反応空間内には第一振動磁場および第二振動磁場を有する少なくとも一セットの振動磁場セットを有し、第一反応空間および第二反応空間には気液平衡の圧力および温度での反応液体が充填され、振動磁場セットの反応流体に対する擾乱を開始し、反応流体が二つの反応空間の間を往復移動することを磁力トンネルセットが案内することにより、交互に流動し、反応を行うために用いられることを特徴とする。
【発明の効果】
【００５０】
本発明に係る量子反応方法および量子反応装置によれば、振動磁場セットの気液平衡の圧力および温度での反応流体に対する擾乱を利用し、反応流体に磁力トンネルセットを繰り返して通過させ、絶え間なく二つの反応空間の間を往復移動し、反応を行わせ、反応流体が反応の中で、移動部材の線性運動や回転運動を力学的エネルギーに変換させたり、或いは、電気エネルギーに変換させたりする。よって、構造の複雑な蒸気タービン機を必要とせず、様々な各種ユーザーに適用可能である。
【図面の簡単な説明】
【００５１】
【図１】本発明の一実施形態に係る量子反応方法のフローチャート。
【図２】本発明の一実施形態に係る量子反応装置の模式図。
【図３】本発明の一実施形態に係る量子反応装置の模式図。
【図４】本発明の一実施形態に係る量子反応装置の静止チャンネルの模式図。
【図５】本発明の一実施形態に係る量子反応装置の分解斜視図。
【図６】本発明の一実施形態に係る量子反応装置の分解斜視図。
【図７】本発明の一実施形態に係る量子反応装置の斜視図。
【図８】本発明の一実施形態に係る量子反応装置の断面図。
【図９】本発明の一実施形態に係る量子反応装置の部分９の拡大図。
【図１０】本発明の一実施形態に係る量子反応装置の部分１０の拡大図。
【図１１】図８の１１−１１線断面図。
【図１２】本発明の一実施形態に係る量子反応装置の回路図。
【００５２】
以下に図面を参照して本発明の一実施形態について、詳細に説明する。
（一実施形態）
まず、本発明の量子反応方法の第１実施形態について説明する。
本発明の第１実施形態に係る量子反応方法は図１から図４に示す通りであり、量子反応方法（Ｑｕａｎｔｕｍ  Ｒｅａｃｔｉｏｎ  Ｍｅｔｈｏｄ）を以下のように説明する。
【００５３】
第１ステップ（Ａ１）（図１の参照）
第一反応空間３３および第二反応空間３４を提供する。
第２ステップ（Ａ２）（図１の参照）
第一反応空間３３と第二反応空間３４との間には第一軌跡３５を有し、第一反応空間３３および第二反応空間３４のうちの一方の内部には第二軌跡５５を有し、第二軌跡５５は第一軌跡３５に対応している。
【００５４】
第３ステップ（Ａ３）（図１の参照）
第一反応空間３３と第二反応空間３４との間には、一セットの磁力トンネルセット４０が形成され、磁力トンネルセット４０は第一磁力トンネル４１および第二磁力トンネル４２を有し、第一磁力トンネル４１および第二磁力トンネル４２は、第一軌跡３５に沿って、等距離、かつ交互に設けられている。第一磁力トンネル４１および第二磁力トンネル４２は、案内磁界４３および逆流防止磁界４４を有し、第一磁力トンネル４１の案内磁界４３および第二磁力トンネル４２の逆流防止磁界４４は、第一反応空間３３および第二反応空間３４のうちの一方に接続し、第一磁力トンネル４１の逆流防止磁界４４および第二磁力トンネル４２の案内磁界４３は、第一反応空間３３および第二反応空間３４のうちの他方に接続する。
【００５５】
第４ステップ（Ａ４）（図１の参照）
第一反応空間３３および第二反応空間３４のうちの一方の内部には、一セットの振動磁場セット５６が形成され、振動磁場セット５６は、第一振動磁場５７および第二振動磁場５８を有する。第一振動磁場５７の磁界方向は、第二振動磁場５８の磁界方向と逆であり、第一振動磁場５７および第二振動磁場５８は、第二軌跡５５に沿って、等距離、かつ交互に設けられている。
【００５６】
第２ステップ（Ｂ）（図１の参照）
第一反応空間３３および第二反応空間３４には気液平衡の圧力と温度での反応流体８０（Ｒｅａｃｔｉｏｎ  Ｆｌｕｉｄ）が充填される。本実施形態では、気液平衡の圧力および温度というのは、反応流体が気液平衡状態を維持するのに必要とする所定圧力および所定温度、ならびに、所定圧力に近似する圧力および所定温度に近似する温度を含む。
【００５７】
第２ステップ（Ｃ）（図１の参照）
振動磁場セット５６の第一振動磁場５７および第二振動磁場５８を駆動させ、第二軌跡５５に沿って反応流体８０に対して擾乱し、第一磁力トンネル４１および第二磁力トンネル４２の反応流体８０に対する案内磁界４３の案内作用によって、反応流体８０が案内磁界４３により案内され、第一磁力トンネル４１および第二磁力トンネル４２の逆流防止磁界４４を通り、反応流体８０に対する逆流防止磁界４４の逆作用により、反応流体８０が第一反応空間３３および第二反応空間３４のうちの一方から、第一反応空間３３および第二反応空間３４のうちの他方へと入るようにし、これにより、反応流体８０が第一反応空間３３と第二反応空間３４との間で交互に流動し、反応（Ｒｅａｃｔｉｏｎ）が行われる。
【００５８】
図１から図３に示すように、より好ましい実施形態では第一磁力トンネル４１および第二磁力トンネル４２と、第一振動磁場５７および第二振動磁場５８とが反応する瞬間に連通状態になるようにし、有効な連通面積のみ常に変化するだけである。このような好ましい状態を達成させるためには、以下に記述の方法で達成させるべきである。つまり、第一磁力トンネル４１は第一軌跡３５上の中心位置し、第二磁力トンネル４２は第一軌跡３５上の中心位置に位置し、第一軌跡３５に沿って第一ピッチＰ1（Ｐｉｔｃｈ）が形成され、第一磁力トンネル４１および第二磁力トンネル４２は、第一軌跡３５上で、どれでも第一幅（Ｗ1）（Ｗｉｄｔｈ）を形成する。第一振動磁場５７は、第二軌跡５５上の中心位置に位置し、第二振動磁場５８は第二軌跡５５上の中心位置に位置し、第二ピッチＰ2（Ｐｉｔｃｈ）に沿っており、第一振動磁場５７とそれぞれは第二軌跡５５上に沿っており、どれでも第二幅（Ｗ2）（Ｗｉｄｔｈ）を形成する。ここで、Ｐ1＞０、Ｐ2＞０、Ｐ1≠Ｐ2、Ｗ1＞０、Ｗ2＞０、ＮＰ1＝ＭＰ2であり、第一ピッチ（Ｐ1）、第一幅（Ｗ1）、前記第二ピッチ（Ｐ2）、第二幅（Ｗ2）は以下の式１および式２を満たす。
式１
2012067750.tif 000003
式１の中でＮは第一振動磁場５７および第二振動磁場５８の総数であり、Ｎは正の整数である。
式２
2012067750.tif 000004
式２の中でＭは第一磁力トンネル４１および第二磁力トンネル４２の総数である。
【００５９】
第一磁力トンネル４１および第二磁力トンネル４２は、必ずしも第一振動磁場５７と第二振動磁場５８とが反応する瞬間、終始どれでも結合された状態が形成されていなければいけないわけではない。
【００６０】
案内磁界４３と逆流防止磁界４４との磁界方向は反対である。
案内磁界４３は、極性が逆である磁極を偶数個含んでおり、第一磁力トンネル４１および第二磁力トンネル４２のうちの一方の端部の周りに取り囲まれ、反応流体８０がその間を通るよう案内する。
【００６１】
第一反応空間３３および第二反応空間３４のうち、一方には移動部材５０がさらに設けられている。移動部材５０は、第一反応空間３３および第二反応空間３４のうち、一方に対し、第二軌跡５５に沿って移動する。振動磁場セット５６は、移動部材５０の上に形成され、移動部材５０の振動磁場セット５６は、反応流体８０を擾乱させるために用いられる。
【００６２】
第一振動磁場５７および第二振動磁場５８は、異なる第一磁極５９および第二磁極６０を有する。さらに、第一磁極５９および第二磁極６０の磁界強度は異なる。
【００６３】
移動部材５０には、移動チャンネルセット５２がさらに設けられる。移動チャンネルセット５２は第一移動チャンネル５３および第二移動チャンネル５４を有し、第一振動磁場５７は第一移動チャンネル５３の内縁の周りに設けられ、第二振動磁場５８が第二移動チャンネル５４の内縁の周りに設けられている。第一移動チャンネル５３および第二移動チャンネル５４は第二軌跡５５に沿って設けられている。
【００６４】
反応流体８０の反応は、力学的エネルギー（Ｍｅｃｈａｎｉｃａｌ  Ｅｎｅｒｇｙ）を生じる。
【００６５】
電磁感応方法が用いられ、力学的エネルギー（Ｍｅｃｈａｎｉｃａｌ  Ｅｎｅｒｇｙ）は電気エネルギー（Ｅｌｅｃｔｒｉｃ  Ｅｎｅｒｇｙ）に変換される。
【００６６】
反応流体８０の反応を移動部材５０に作用する（Ｗｏｒｋ）ことにより、反応流体８０の反応は力学的エネルギー（Ｍｅｃｈａｎｉｃａｌ  Ｅｎｅｒｇｙ）を生じる。
【００６７】
反応が始まる間、移動部材５０に電磁エネルギー（Ｅｌｅｃｔｒｏｍａｇｎｅｔｉｃ  Ｅｎｅｒｇｙ）を加えることにより、移動部材５０は静止状態から動作を開始する。
【００６８】
第一反応空間３３および第二反応空間３４は、一本の中心線３２を有し、静止チャンネルセット３６の第一静止チャンネル３７および第二静止チャンネル３８は、第一円形軌跡に基づき、交互、かつ等角度に分布される。
【００６９】
移動部材５０は中心線３２を軸心として回転する。
振動磁場セット５６の第一振動磁場５７および第二振動磁場５８は、中心線３２を軸心とし、第二円形軌跡に基づき、交互、かつ等角度で分布され、第二円形軌跡に基づき回転し、振動磁場セット５６の第二円形軌跡は、静止チャンネルセット３６の第一円形軌跡に対応し、振動磁場セット５６は、回転中に、どれでも順序に従って、静止チャンネルセット３６を通過する。
【００７０】
案内磁界４３および逆流防止磁界４４はそれぞれ５組である。言い換えるならば、案内磁界４３および逆流防止磁界４４が構成する第一磁力トンネル４１および第二磁力トンネル４２は合計１０個である。さらに、振動磁場セット５６は６組である。言い換えるならば、第一振動磁場５７および第二振動磁場５８は、合計１２個である。このように配置された組み合わせによって、第一磁力トンネル４１および第二磁力トンネル４２によって構成される磁力トンネルセット４０と、第一振動磁場５７および第二振動磁場５８によって構成される振動磁場セット５６はより好ましい反応効率を得ることになる。
【００７１】
図５から図１２に示されているように、本発明に係る量子反応装置３０（Ｑｕａｎｔｕｍ  Ｒｅａｃｔｉｏｎ  Ａｐｐａｒａｔｕｓ）は、反応容器３１と、少なくとも一セットの静止チャンネルセット３６、少なくとも一セットの磁力トンネルセット４０、少なくとも一セットの移動可能な振動磁場セット５６を含む。
【００７２】
反応容器３１は、本体４５と本体４５の両端をそれぞれ覆う二つの端蓋４６、４７によって構成されており、複数のボルトによって組付けられている。
【００７３】
反応容器３１は、少なくとも第一反応空間３３および第二反応空間３４を有し、第二反応空間３４は第一反応空間３３と接続し、第一反応空間３３と第二反応空間３４との間には第一軌跡３５を有する。第一反応空間３３および第二反応空間３４のうち、少なくとも一方の内部には第二軌跡５５があり、第二軌跡５５は第一軌跡３５と対応し、第一反応空間３３および第二反応空間３４には気液平衡の圧力と温度での反応流体８０（Ｒｅａｃｔｉｏｎ  Ｆｌｕｉｄ）が充填されている。
【００７４】
静止チャンネルセット３６は、第一反応空間３３と第二反応空間３４との間に設けられ、静止チャンネルセット３６は、第一静止チャンネル３７および第二静止チャンネル３８を含み、第一静止チャンネル３７および第二静止チャンネル３８は、第一軌跡３５に沿って等距離、かつ交互に設けられている。
【００７５】
磁力トンネルセット４０は、静止チャンネルセット３６に設けられ、磁力トンネルセット４０は第一磁力トンネル４１および第二磁力トンネル４２を有する。第一磁力トンネル４１は第一静止チャンネル３７に設けられ、第二磁力トンネル４２は第二静止チャンネル３８に設けられ、第一磁力トンネル４１および第二磁力トンネル４２は案内磁界４３および逆流防止磁界４４を有する。第一磁力トンネル４１の案内磁界４３および第二磁力トンネル４２の逆流防止磁界４４は、第一反応空間３３および第二反応空間３４のうちの一方に接続し、第一磁力トンネル４１の逆流防止磁界４４および第二磁力トンネル４２の案内磁界４３は、第一反応空間３３および第二反応空間３４のうちの他方に接続する。
【００７６】
振動磁場セット５６は第一振動磁場５７および第二振動磁場５８を有し、第一振動磁場５７の磁界方向は第二振動磁場５８の磁界方向と逆であり、第一振動磁場５７および第二振動磁場５８は、第二軌跡５５に沿って、等距離かつ交互に設けられ、反応流体８０に対して擾乱（Ａｇｉｔａｔｅ）させるために用いられる。反応流体８０は、順序に従って、第一静止チャンネル３７および第二静止チャンネル３８を通る時、すべてのチャンネルの案内磁界４３の反応流体８０に対する案内作用および逆流防止磁界４４の反応流体８０に対する逆流防止作用によって、第一反応空間３３と第二反応空間３４との間で交互に（ａｌｔｅｍａｔｅ）流動し、反応（Ｒｅａｃｔｉｏｎ）が行われる。
【００７７】
本実施形態では、第一磁力トンネル４１および第二磁力トンネル４２と第一振動磁場５７および第二振動磁場５８とが反応する瞬間に連通状態になるようにし、有効な連通面積のみ常に変化するようにする。このような好ましい状態を達成させるためには、以下の方法が用いられる。つまり、第一磁力トンネル４１は第一軌跡３５上の中心位置に位置し、第二磁力トンネル４２は第一軌跡３５上の中心位置に位置し、第一軌跡３５に沿って第一ピッチＰ1（Ｐｉｔｃｈ）が形成され、第一磁力トンネル４１および第二磁力トンネル４２はそれぞれ第一軌跡３５上で、第一幅（Ｗ1）（Ｗｉｄｔｈ）を形成する。第一振動磁場５７は第二軌跡５５上の中心位置に位置し、第二振動磁場５８は第二軌跡５５上の中心位置に位置し、第二ピッチＰ2（Ｐｉｔｃｈ）に沿って、第一振動磁場５７とそれぞれ第二軌跡５５上に沿って、第二幅（Ｗ2）（Ｗｉｄｔｈ）を形成する。Ｐ1＞０、Ｐ2＞０、Ｐ1≠Ｐ2、Ｗ1＞０、Ｗ2＞０、ＮＰ1＝ＭＰ2である。第一ピッチ（Ｐ1）、第一幅（Ｗ1）、前記第二ピッチ（Ｐ2）、第二幅（Ｗ2）は以下の関係式３および式４を満たす。
式３
2012067750.tif 000005
式３中でＮは第一振動磁場５７および第二振動磁場５８の総数であり、Ｎは正の整数である。
式４
2012067750.tif 000006
式４中で、Ｍは第一磁力トンネル４１および第二磁力トンネル４２の総数である。
【００７８】
案内磁界４３および逆流防止磁界４４の磁界方向は反対である。静止チャンネルセット３６の第一静止チャンネル３７は、第一吸入端３７ａおよび第一排出端３７ｂを有し、静止チャンネルセット３６の第二静止チャンネル３８は第二吸入端３８ａと第二排出端３８ｂを有する。第一静止チャンネル３７の第一吸入端３７ａおよび第二静止チャンネル３８の第二排出端３８ｂは第一反応空間３３および第二反応空間３４のうちの一に接続し、第一静止チャンネル３７の第一排出端３７ｂおよび第二静止チャンネル３８の第二吸入端３８ａは第一反応空間３３および第二反応空間３４のうちの他方に接続する。
【００７９】
案内磁界４３は第一静止チャンネル３７の第一吸入端３７ａおよび第二静止チャンネル３８の第二排出端３８ｂの周りに取り囲まれ、案内磁界４３は第一反応空間３３および第二反応空間３４のうちの一方に接続し、逆流防止磁界４４は第一静止チャンネル３７の第一排出端３７ｂおよび第二静止チャンネル３８の第二吸入端３８ａの周りに取り囲まれ、逆流防止磁界４４は第一反応空間３３および第二反応空間３４のうちの他方に接続する。
【００８０】
案内磁界４３は極性が逆である偶数個の磁極を含み、第一静止チャンネル３７の第一吸入端３７ａおよび第二静止チャンネル３８の第二吸入端３８ａの周りに取り囲まれ、反応流体８０がその間を通ることを案内（Ｇｕｉｄｅ）するために用いられる。
【００８１】
量子反応装置３０は、第一反応空間３３および第二反応空間３４のうちの一方に対し相対移動する移動部材５０を含む。
【００８２】
振動磁場セット５６は移動部材５０上に形成され、移動部材５０の振動磁場セット５６は反応流体８０を擾乱させるために用いられる。第一振動磁場５７および第二振動磁場５８は、異なる第一磁極５９および第二磁極６０を有し、第一磁極５９と第二磁極６０の磁界強度は異なる。
【００８３】
移動部材５０には移動チャンネルセット５２が設けられている。移動チャンネルセット５２は第一移動チャンネル５３および第二移動チャンネル５４を有し、第一振動磁場５７は第一移動チャンネル５３の内縁の周りに設けられ、第二振動磁場５８が第二移動チャンネル５４の内縁の周りに設けられている。移動部材５０は中心線３２を軸心として回転する。
【００８４】
静止チャンネルセット３６の第一静止チャンネル３７および第二静止チャンネル３８は、中心線３２を軸心とする第一円形軌跡に基づき、交互、かつ等角度で分布されている。
【００８５】
振動磁場セット５６は、中心線３２を軸心とする第二円形軌跡に基づき、等角度に分布され、第二円形軌跡に基づき回転する。振動磁場セット５６の第二円形軌跡は、第一円形軌跡に対応する。振動磁場セット５６は回転中に、順序に応じて静止チャンネルセット３６に対応する。
【００８６】
案内磁界４３および逆流防止磁界４４はそれぞれ５組である。言い換えるならば、案内磁界４３および逆流防止磁界４４が構成する第一磁力トンネル４１および第二磁力トンネル４２は合計１０個である。さらに、振動磁場セット５６は６組である。言い換えるならば、第一振動磁場５７および第二振動磁場５８は合計１２個である。このように配置された組み合わせによって、第一磁力トンネル４１および第二磁力トンネル４２によって構成される磁力トンネルセット４０と、第一振動磁場５７および第二振動磁場５８によって構成される振動磁場セット５６とはより好ましい反応効率が得られるようになる。
【００８７】
本実施形態の量子反応装置３０はさらに回転制御装置６１を含み、前記回転制御装置６１は第一磁界セット６２、第二磁界セット６４、および電気供給回路６６を含む。
【００８８】
第一磁界セット６２は複数個の第一磁界ユニット６３を含み、磁界ユニット６３は等角度で移動部材５０の回転軌跡上に設けられている。第一磁界ユニット６３は永久磁石であり、等角度で移動部材５０の内縁に設けられている。
【００８９】
第二磁界セット６４は、複数個の第二磁界ユニット６５を含み、第二磁界ユニット６５は反応容器３１に設けられ、等角度で移動部材５０の回転軌跡に対応し、第一磁界セット６２を感磁させるために用いられ、中心線３２を軸心とし、移動部材５０を回転させる。第一磁界ユニット６３は、電磁コイルであり、本体４５の外周の凹穴部４９の内縁に等角度で設けられている。
【００９０】
電気供給回路６６は、第二磁界セット６４に電気を供給し、第二磁界セット６４に磁界を発生させ、第一磁界セット６２を感磁させ、中心線３２を軸心とし、移動部材５０を回転させるのに用いられる。
【００９１】
本実施形態の量子反応装置３０は、さらにエネルギー変換装置６７を含み、エネルギー変換装置６７は第三磁界セット６８、第四磁界セット７０、および第五磁界セット７２を有する。
【００９２】
第三磁界セット６８は、複数個の第三磁界ユニット６９を有し、これらの第三磁界ユニット６９は反応容器３１に設けられ、等角度で移動部材５０の回転軌跡に対応する。
【００９３】
第四磁界セット７０は、複数個の第四磁界ユニット７１を有する。第四磁界ユニット７１は、等角度で移動部材５０上に設けられ、移動部材５０の回転軌跡に対応し、第三磁界セット６８を感磁させ、第三磁界セット６８に誘導電流を発生させるのに用いられる。
【００９４】
エネルギー変換装置６７は、さらに、軸継手スリーブ７５と移動部材５０とを接続し、心棒７６の支持を受け、移動部材５０と同期回転する透磁部材７４を含む。第五磁界セット７２は、複数個の第五磁界ユニット７３を含み、第五磁界ユニット７３は、等角度で透磁部材７４上に設けられ、移動部材５０の回転軌跡に対応し、第四磁界セット７０と同期回転し、第三磁界セット６８を感磁させ、第三磁界セット６８に誘導電流を発生させるのに用いられる。
【００９５】
本実施形態の量子反応方法は少なくとも一つの第一反応空間および少なくとも一つの第二反応空間を提供する。第一反応空間と第二反応空間との間には、第一磁力トンネルおよび第二磁力トンネルを有する少なくとも一セットの磁力トンネルセットが形成されている。少なくとも一つの反応空間内には第一振動磁場および第二振動磁場を有する少なくとも一セットの振動磁場セットを有する。第一反応空間および第二反応空間には、気液平衡の圧力と温度での反応液体が充填され、振動磁場セットの反応流体に対する擾乱を駆動し、反応流体が二つの反応空間を往復移動することを磁力トンネルセットが案内することにより、交互に流動し、反応（Ｒｅａｃｔｉｏｎ）を行うのに用いられる。
【００９６】
本実施形態の量子反応方法および量子反応装置では、反応流体は炭素元素を内に含む（例えば、二酸化炭素、炭素系同位体）しかし、本発明は炭素元素に限られるわけではない。
【００９７】
以上、本発明はこのような実施形態に限定されるものではなく、発明の趣旨を逸脱しない範囲において、種々の形態で実施することができる。
【符号の説明】
【００９８】
３０  ・・・量子反応装置
３１  ・・・反応容器
３２  ・・・中心線
３３  ・・・第一反応空間
３４  ・・・第二反応空間
３５  ・・・第一軌跡
３６  ・・・静止チャンネルセット
３７  ・・・第一静止チャンネル
３７ａ・・・第一吸入端
３７ｂ・・・第一排出端
３８  ・・・第二静止チャンネル
３８ａ・・・第二吸入端
３８ｂ・・・第二排出端
４０  ・・・磁力トンネルセット
４１  ・・・第一磁力トンネル
４２  ・・・第二磁力トンネル
４３  ・・・案内磁界
４４  ・・・逆流防止磁界
４５  ・・・本体
４６  ・・・端蓋
４７  ・・・端蓋
４８  ・・・ボルト
４９  ・・・凹穴部
５０  ・・・移動部材
５２  ・・・移動チャンネルセット
５３  ・・・第一移動チャンネル
５４  ・・・第二移動チャンネル
５５  ・・・第二軌跡
５６  ・・・振動磁場セット
５７  ・・・第一振動磁場
５８  ・・・第二振動磁場
５９  ・・・第一磁極
６０  ・・・第二磁極
６１  ・・・回転制御装置
６２  ・・・第一磁界セット
６３  ・・・第一磁界ユニット
６４  ・・・第二磁界セット
６５  ・・・第二磁界ユニット
６６  ・・・電気供給回路
６７  ・・・エネルギー変換装置
６８  ・・・第三磁界セット
６９  ・・・第三磁界ユニット
７０  ・・・第四磁界セット
７１  ・・・第四磁界ユニット
７２  ・・・第五磁界セット
７３  ・・・第五磁界ユニット
７４  ・・・透磁部材
７５  ・・・軸継手スリーブ
７６  ・・・心棒
８０  ・・・反応流体
Ａ１  ・・・ステップ一の一
Ａ２  ・・・ステップ一の二
Ａ３  ・・・ステップ一の三
Ａ４  ・・・ステップ一の四
Ｂ    ・・・ステップ二
Ｃ    ・・・ステップ三
Ｐ1  ・・・第一ピッチ
Ｐ2  ・・・第二ピッチ
Ｗ1  ・・・第一幅
Ｗ2  ・・・第二幅
【図１】
2012067750.tif 000007
【図２】
2012067750.tif 000008
【図３】
2012067750.tif 000009
【図４】
2012067750.tif 000010
【図５】
2012067750.tif 000011
【図６】
2012067750.tif 000012
【図７】
2012067750.tif 000013
【図８】
2012067750.tif 000014
【図９】
2012067750.tif 000015
【図１０】
2012067750.tif 000016
【図１１】
2012067750.tif 000017
【図１２】
2012067750.tif 000018